(57)【要約】      （修正有）【課題】  簡易構成でありながら防振機能を有した望遠ズームレンズを得る。【解決手段】  正、負、正、正、負の５つのレンズ群を有し、３つの可動群で変倍を行うズームレンズにおいて、第２、第３、第４群の焦点距離をそれぞれ、ｆ２、ｆ３、ｆ４、広角端及び望遠端での全系の焦点距離をそれぞれfw、ftとしたとき、以下の条件を満足する。０．１０＜｜ｆ２｜／√（ｆｗ・ｆｔ）＜０．４００．１０＜ｆ３／√（ｆｗ・ｆｔ）＜０．５００．４０＜ｆ４／√（ｆｗ・ｆｔ）＜０．８５【選択図】  図１
2006337648.tif 000002
【特許請求の範囲】
【請求項１】
物体側より順に、正の屈折力の第１レンズ群、負の屈折力の第２レンズ群、正の屈折力の第３レンズ群、正の屈折力の第４レンズ群、負の屈折力の第５レンズ群を有し、
広角端から望遠端への変倍に際して、前記第２レンズ群と第４レンズ群は固定であり、
少なくとも前記第１レンズ群が光軸上を物体側へ移動するズームレンズにおいて、
前記第２レンズ群、第３レンズ群、第４レンズ群の焦点距離をそれぞれｆ２、ｆ３、ｆ４、広角端及び望遠端での全系の焦点距離をそれぞれｆｗ、ｆｔとしたとき
０．１０＜｜ｆ２｜／√（ｆｗ・ｆｔ）＜０．４０
０．１０＜ｆ３／√（ｆｗ・ｆｔ）＜０．５０
０．４０＜ｆ４／√（ｆｗ・ｆｔ）＜０．８５
なる条件を満足することを特徴とするズームレンズ。
【請求項２】
前記第２レンズ群を光軸に対して略垂直方向に移動させて、光学系に振動が与えられた時の結像位置の補正を行うことを特徴とする請求項１に記載のズームレンズ。
【請求項３】
前記第５レンズ群の焦点距離をｆ５としたとき
０．２０＜｜ｆ５｜／√（ｆｗ・ｆｔ）＜０．６０
なる条件を満足することを特徴とする請求項１に記載のズームレンズ。
【請求項４】
前記第１レンズ群の焦点距離をｆ１としたとき
０．７０＜ｆ１／√（ｆｗ・ｆｔ）＜１．１０
なる条件を満足することを特徴とする請求項１に記載のズームレンズ。
【請求項５】
前記各レンズ群全てが、３枚以下のレンズ要素で構成されていることを特徴とする請求項１に記載のズームレンズ。
【請求項６】
前記各レンズ群全てが、正レンズ１枚、負レンズ１枚による貼り合せレンズを含んでいること特徴とする請求項１に記載のズームレンズ。
【発明の詳細な説明】
【技術分野】
【０００１】
本発明は、フィルム用カメラ、デジタルスチルカメラ等に好適な望遠型のズームレンズに関し、特に、全体として５つのレンズ群を有し、変倍比４程度と高変倍ながら全変倍域にわたり高い光学性能を有し、且つレンズ系全体の構成の簡易化と低コスト化を図ったズームレンズに関するものである。
【背景技術】
【０００２】
近年、一眼レフカメラやデジタルスチルカメラ等の小型化と低コスト化に伴い、これらに使用される撮影レンズとしてレンズ全長が短くコンパクトで且つ低コストなズームレンズが要望されている。
【０００３】
一方、そのようなコンパクトなズームレンズで画角の狭い、例えば３５ｍｍフィルムフォーマットで焦点距離が２００ｍｍを超えるような望遠ズームを達成しようとすると、望遠端でのＦナンバーを大きく（暗く）するしかなく、撮影時にシャッタースピードが上げられずに撮影画像にブレを生じさせ易くなるという難点がある。
【０００４】
このようなことを鑑み、前記の撮影画像のブレに関して特に光学系が振動して発生するブレ（所謂手ブレ）については、光学的に補正をする技術が従来から多く提案されている。
【０００５】
それらの提案の内、望遠型ズームレンズに関するものとして例えば特開平８−６２５４１、特開平８−１３６８６３、特開平１１−３１６３４２等がある。
【０００６】
前記特開平８−６２５４１では、物体側より順に正、負、正、正、負の５つのレンズ群、または正、負、正、負、正、負の６つのレンズ群で構成されたズームレンズを提案しており、負の屈折力の第２レンズ群を光軸と垂直方向に移動することで撮影画像のブレを補正している。
【０００７】
また特開平８−１３６８６３では、物体側より順に正、負、正、正、負の５つのレンズ群、または正、負、正、負の４つのレンズ群で構成されたズームレンズを提案しており、負の屈折力の第２レンズ群を二つのサブレンズ群に分けて、片方のサブレンズ群を光軸と垂直方向に移動することで撮影画像のブレを補正している。
【０００８】
また特開平１１−３１６３４２では、物体側より順に正、負、正、負、正、負の６つのレンズ群で構成されたズームレンズを提案しており、負の屈折力の第２レンズ群を複数のサブレンズ群の分けて、その内一つのサブレンズ群を光軸と垂直方向に移動することで撮影画像のブレを補正している。
【特許文献１】特開平８−１３６８６３号公報
【特許文献２】特開平１１−３１６３４２号公報
【特許文献３】特開平８−６２５４号公報
【発明の開示】
【発明が解決しようとする課題】
【０００９】
前記従来発明は全て、望遠端での焦点距離が３００ｍｍから４００ｍｍ程度と長いズームレンズとなっており、高い光学性能を持ち且つブレ発生時の補正機能も有すことに成功している。しかし、変倍時の移動群がいずれも４つ以上有ることや、構成するレンズ枚数が多いものもあることなど、光学系全体のコンパクト化や低コスト化、メカ機構の簡易化の点ではまだ検討の余地がある。
【００１０】
以上のことを鑑み、本発明では、５つのレンズ群を有するズームレンズにおいて各レンズ群のレンズ構成を適切に設定することにより、全変倍域にわたり高い光学性能を維持していながら、変倍時の移動群が少なく構成が簡易でコンパクトであり、低コストを達成したズームレンズの提供を目的とする。また同時に、各レンズ群の屈折力を適切に設定することで、光学系に振動が発生した時の撮影画像のブレを良好に補正することができるズームレンズの提供を目的とする。
【課題を解決するための手段】
【００１１】
上記の目的を達成するため、本発明によるズームレンズは以下の特徴を備えている。
（１）物体側より順に、正の屈折力の第１レンズ群、負の屈折力の第２レンズ群、正の屈折力の第３レンズ群、正の屈折力の第４レンズ群、負の屈折力の第５レンズ群を有し、広角端から望遠端への変倍に際して、前記第２レンズ群と第４レンズ群は固定であり、少なくとも前記第１レンズ群が光軸上を物体側へ移動するズームレンズにおいて、前記第２レンズ群、第３レンズ群、第４レンズ群の焦点距離をそれぞれｆ２、ｆ３、ｆ４、広角端、望遠端での全系の焦点距離をそれぞれｆｗ、ｆｔとしたとき
０．１０＜｜ｆ２｜／√（ｆｗ・ｆｔ）＜０．４０
０．１０＜ｆ３／√（ｆｗ・ｆｔ）＜０．５０
０．４０＜ｆ４／√（ｆｗ・ｆｔ）＜０．８５
なる条件を満足する。
（２）前記第２レンズ群を光軸に対して略垂直方向に移動させて、光学系に振動が与えられた時の結像位置の補正を行う。
（３）前記第５レンズ群の焦点距離をｆ５としたとき
０．２０＜｜ｆ５｜／√（ｆｗ・ｆｔ）＜０．６０
なる条件を満足する。
（４）前記第１レンズ群の焦点距離をｆ１としたとき
０．７０＜ｆ１／√（ｆｗ・ｆｔ）＜１．１０
なる条件を満足する。
（５）前記各レンズ群全てが、３枚以下のレンズ要素で構成されている。
（６）前記各レンズ群全てが、正レンズ１枚、負レンズ１枚による貼り合せレンズを含んでいる。
【発明の効果】
【００１２】
以上説明したように、本発明によれば、５つのレンズ群を有するズームレンズにおいて各レンズ群のレンズ構成を適切に設定することにより、全変倍域にわたり高い光学性能を維持していながら、変倍時の移動群が少なく構成が簡易でコンパクトであり、低コストを達成したズームレンズが実現できる。また同時に、各レンズ群の屈折力を適切に設定することで、光学系に振動が発生した時の撮影画像のブレを良好に補正することが可能なズームレンズが実現できる。
【発明を実施するための最良の形態】
【００１３】
次に本発明の実施形態を具体的に示す。
【００１４】
図１は本発明の数値実施例１の光学断面である。図中ＳＰは絞り、ＩＰは像面を示す。
【００１５】
本実施例のズームレンズは物体側より順に、正の屈折力を有する第１レンズ群Ｌ１、負の屈折力を有する第２レンズ群Ｌ２、正の屈折力を有する第３レンズ群Ｌ３、第３レンズ群と一体移動する絞りＳＰ、正の屈折力を有する第４レンズ群Ｌ４、負の屈折力を有する第５レンズ群Ｌ５、より構成されている。
【００１６】
広角端から望遠端への変倍に際しては第１レンズ群Ｌ１と第２レンズ群Ｌ２の間隔が増加、第２レンズＬ２と第３レンズ群Ｌ３の間隔が減少、第３レンズ群Ｌ３と第４レンズ群Ｌ４の間隔が増加、第４レンズ群Ｌ４と第５レンズ群Ｌ５の間隔が減少するように、第１レンズ群Ｌ１と第３レンズ群Ｌ３と第５レンズ群Ｌ５が光軸上を物体側に移動している。この時、第２レンズ群Ｌ２と第４レンズ群Ｌ４は光軸上固定されている。
【００１７】
即ち、広角端においては近接した第１レンズ群と第２レンズ群の合成焦点距離が負となり、それ以降の群の合成焦点距離が正となって、レンズ系全体がレトロフォーカス型の屈折力配置となり、一方で望遠端では近接した第２レンズ群と第３レンズ群の合成焦点距離が負となってレンズ系全体がテレフォト型の屈折力配置となっている。
【００１８】
本発明のズームレンズでは、このような構成において第２レンズ群の負の屈折力と第３レンズ群の正の屈折力を比較的強く設定しており、これにより広角端でより強いレトロフォーカス型の配置となり、結果として約４倍という高い変倍比を持ちつつもコンパクトな望遠型ズームレンズを実現している。またこのように第２レンズ群と第３レンズ群の屈折力を比較的強く設定することで、第２、第３レンズ群間隔の変化による変倍分担が大きくなり、変倍時に第２レンズ群と第４レンズ群を固定とすることが可能となる。これにより、変倍時の移動群を３つにすることができ、変倍に関するメカ機構の簡易化が可能となっている。
【００１９】
更に、最も像面側に配置した第５レンズ群を負レンズ群にすることでコマ収差等の非対称性収差の補正を良好に行っている。
【００２０】
以上のような構成において、本発明のズームレンズでは更に第２、第３、第４レンズ群の焦点距離をそれぞれｆ２、ｆ３、ｆ４、広角端、望遠端での全系の焦点距離をそれぞれｆｗ、ｆｔとしたとき
０．１０＜｜ｆ２｜／√（ｆｗ・ｆｔ）＜０．４０・・・（１）
０．１０＜ｆ３／√（ｆｗ・ｆｔ）＜０．５０・・・・・（２）
０．４０＜ｆ４／√（ｆｗ・ｆｔ）＜０．８５・・・・・（３）
なる条件を満足するように各レンズ群の屈折力を設定して好適な光学系を実現している。
【００２１】
条件式（１）の下限を超えて第２レンズ群の負の屈折力が強いと変倍時の収差変動が大きくなり補正困難となるため望ましくない。また、上限を超えて第２レンズ群の負の屈折力が弱いとコンパクトな構成で所望の変倍比が得られなくなって望ましくない。
【００２２】
条件式（２）の下限を超えて第３レンズ群の正の屈折力が強いと変倍時の収差変動が大きくなり補正困難になるため望ましくない。また、上限を超えて第３レンズ群の正の屈折力が弱いとコンパクトな構成で所望の変倍比が得られなくなって望ましくない。
【００２３】
条件式（３）の下限を超えて第４レンズ群の正の屈折力が強いと第４、５レンズ群の変倍分担が大きくなり、変倍に必要な空気間隔を確保するためレンズ全長が伸びてしまいコンパクトな光学系が達成できなくなるため望ましくない。また、上限を超えて第４レンズ群の正の屈折力が弱いとバックフォーカスが長くなり、やはりコンパクトな光学系が達成できなくなるため望ましくない。
【００２４】
また、本発明のズームレンズでは上記のような構成により、前記第２レンズ群を光軸に対し略垂直方向に移動させて、光学系に振動が与えられた時の撮影画像のブレを良好に補正することを可能にしている。
【００２５】
一般に、光学系の一部のレンズを光軸に対して垂直方向に平行偏心させて画像ブレの補正を行う光学系においては、補正レンズ群を適切に設定しないと、駆動機構の大型化や光学性能の低下を招いてしまう。
【００２６】
補正光学系の偏心移動に対する像のブレ補正効果が小さいと、充分なブレの補正効果を得るために補正光学系の移動量を多くとる必要が生じてしまい、ブレ補正のためのメカ機構が大型化するという問題がある。一方、補正光学系の偏心移動に対する像のブレ補正効果を強め過ぎてしまうと、一定の像ブレ補正をする際の正確なレンズ移動制御を行うことが難しくなったり、ブレ補正時の偏心収差が大きくなり光学性能が低下したりしてしまう。
【００２７】
本発明のズームレンズでは、前述のような構成、特に条件式（１）、（２）の条件を満たすことで、敏感度が低いためにブレ補正時に過度の偏心移動量を必要としたり、逆に敏感度が高過ぎて位置制御が困難になったりしない、適切な屈折力配置を第２、第３レンズ群に与えることができている。
【００２８】
以上のように、本発明によるズームレンズは前述のような構成とすることで、簡易な構成ながら変倍比４程度の高変倍を実現して、且つ防振機能を有した高性能ズームレンズを実現しているが、次に述べるような条件を満足することで、より好適な実施形態とすることが出来る。
【００２９】
前記第１レンズ群及び第５レンズ群の焦点距離をそれぞれｆ１、ｆ５としたとき
０．２０＜｜ｆ５｜／√（ｆｗ・ｆｔ）＜０．６０・・・（４）
０．７０＜ｆ１／√（ｆｗ・ｆｔ）＜１．１０・・・・・（５）
なる条件を満足する。
【００３０】
条件式（４）の下限を超えて第５レンズ群の負の屈折力が強いと、変倍分担が大きくなり光学系全体の屈折力バランスが崩れると同時に変倍時の収差変動が大きくなって補正困難となるため望ましくない。また、上限を超えて第５レンズ群の負の屈折力が弱いとコマ収差等の非対称性収差の補正能力が乏しくなって望ましくない。
【００３１】
条件式（５）の下限を超えて第１レンズ群の正の屈折力が強いと変倍時の収差変動が大きくなり補正困難となるため望ましくない。また、上限を超えて第１レンズ群の正の屈折力が弱いと、第２レンズ群に入射する光束が小さくならないので第２レンズ群が大型化しレンズ重量が増大してブレ補正の為の駆動系に大きな負荷が掛かったり、駆動系そのものの大型化を招くため望ましくない。
【００３２】
また、本発明のズームレンズの内、特に実施例１から３では、前記各レンズ群全てが３枚以下のレンズ要素で構成されていて、更に各レンズ群全てに正レンズ１枚、負レンズ１枚による貼り合せレンズを配置して各レンズ群で色消しを行っている。このような構成とすることで、少ない構成枚数ながらも良好な収差補正能力を発揮し、ローコストでありながらも高い光学性能を有したズームレンズを実現している。
【００３３】
更に、本発明のズームレンズは前述の条件式（１）から（５）が下記のような範囲を満足するようにすると、より好適な実施形態となる。
【００３４】
０．１５＜｜ｆ２｜／√（ｆｗ・ｆｔ）＜０．３５・・・（１）´
０．１５＜ｆ３／√（ｆｗ・ｆｔ）＜０．４５・・・・・（２）´
０．４５＜ｆ４／√（ｆｗ・ｆｔ）＜０．７５・・・・・（３）´
０．３０＜｜ｆ５｜／√（ｆｗ・ｆｔ）＜０．５５・・・（４）´
０．８０＜ｆ１／√（ｆｗ・ｆｔ）＜１．００・・・・・（５）´
【００３５】
〔数値実施例〕
以下に、本発明によるズームレンズの実施例の数値データを示す。これらの数値実施例において、ｒｉは物体側から順に第ｉ番目のレンズ面の曲率半径、ｄｉは物体側から順に第ｉ番目の面から第ｉ＋１番目の面の間隔（レンズ厚又は空気間隔）、ｎｉとνｉはそれぞれ物体側から順に第ｉ番目のレンズのｄ線における屈折率とアッベ数である。
各実施例において＊で示す面は非球面であり、非球面形状は、次式によって定義している。
【００３６】
Ｘ＝（ｈ2 ／Ｒ）／［１＋√｛１−(１＋Ｋ)（ｈ／Ｒ）2｝］
＋Ｂ・ｈ4 ＋Ｃ・ｈ6 ＋Ｄ・ｈ8 
但し、Ｘは光軸からｈだけ離れたレンズ面上の光軸方向への変位量、Ｒは曲率半径、Ｂ，Ｃ，Ｄはそれぞれ４次、６次、８次の非球面係数である。
【００３７】
数値実施例１
f=  71.8〜292.0   FNo=4.1〜5.8   2ω=33.6°〜8.5°
r 1=   121.078        d 1=   2.75    n 1=1.74077  v 1=27.8
r 2=    67.866        d 2=   6.18    n 2=1.48749  v 2=70.2
r 3= -2309.939        d 3=   0.20
r 4=   139.178        d 4=   4.41    n 3=1.48749  v 3=70.2
r 5=  -363.940        d 5= 可変
r 6=  -190.837        d 6=   1.40    n 4=1.77250  v 4=49.6
r 7=    68.828        d 7=   3.56
r 8=   -41.099        d 8=   1.40    n 5=1.65160  v 5=58.5
r 9=    74.619        d 9=   2.64    n 6=1.84666  v 6=23.9
r10=  -298.535        d10= 可変
r11=    71.036        d11=   4.13    n 7=1.69680  v 7=55.5
r12=   -71.648        d12=   0.22
r13=    71.045        d13=   4.78    n 8=1.48749  v 8=70.2
r14=   -49.626        d14=   1.50    n 9=1.83400  v 9=37.2
r15=  3992.690        d15=   3.00
r16=       ∞ (絞り)  d16= 可変
r17=   -59.441        d17=   2.80    n10=1.77250  v10=49.6
r18=   -84.414        d18=  28.00
r19=   115.295        d19=   4.80    n11=1.69680  v11=55.5
r20=   -34.482        d20=   1.50    n12=1.84666  v12=23.9
r21=   -75.301        d21= 可変
r22=   -38.136        d22=   1.60    n13=1.71999  v13=50.2
r23=    50.069        d23=   3.42    n14=1.78472  v14=25.7
r24=  -308.635        d24= 可変
焦点距離  71.77 135.00 292.00
可変間隔
d  5      4.11  38.61  59.11
d 10     32.75  22.22   2.20
d 16      4.19  14.72  34.75
d 21     22.12  15.06   2.91
数値実施例２
f=  71.7〜292.0   FNo=4.1〜5.8   2ω=33.6°〜8.5°
r 1=   121.124        d 1=   2.75    n 1=1.74077  v 1=27.8
r 2=    68.183        d 2=   6.22    n 2=1.48749  v 2=70.2
r 3= -2170.832        d 3=   0.20
r 4=   137.549        d 4=   4.77    n 3=1.48749  v 3=70.2
r 5=  -367.438        d 5= 可変
r 6=  -189.702        d 6=   1.40    n 4=1.77250  v 4=49.6
r 7=    69.003        d 7=   3.42
r 8=   -41.145        d 8=   1.40    n 5=1.65160  v 5=58.5
r 9=    73.872        d 9=   2.60    n 6=1.84666  v 6=23.9
r10=  -321.284        d10= 可変
r11=    70.081        d11=   4.04    n 7=1.72916  v 7=54.7
r12=   -73.721        d12=   0.25
r13=    74.011        d13=   4.69    n 8=1.48749  v 8=70.2
r14=   -48.851        d14=   1.50    n 9=1.83400  v 9=37.2
r15=  1050.254        d15=   3.00
r16=       ∞ (絞り)  d16= 可変
r17=   -57.728        d17=   2.60    n10=1.77250  v10=49.6
r18=   -79.675        d18=  27.81
r19=   102.892        d19=   4.91    n11=1.65160  v11=58.5
r20=   -34.524        d20=   1.50    n12=1.84666  v12=23.9
r21=   -69.557        d21= 可変
r22=   -38.721        d22=   1.61    n13=1.71999  v13=50.2
r23=    50.343        d23=   3.55    n14=1.78472  v14=25.7
r24=  -290.105        d24= 可変
焦点距離  71.73 135.00 292.00
可変間隔
d  5      3.98  38.60  58.98
d 10     32.68  22.30   2.20
d 16      4.26  14.63  34.74
d 21     22.25  15.09   2.80
数値実施例３
f=  71.6〜292.0   FNo=4.1〜5.8   2ω=33.6°〜8.5°
r 1=   119.091        d 1=   2.75    n 1=1.74077  v 1=27.8
r 2=    67.671        d 2=   6.27    n 2=1.48749  v 2=70.2
r 3= -2221.623        d 3=   0.20
r 4=   141.688        d 4=   4.46    n 3=1.48749  v 3=70.2
r 5=  -356.738        d 5= 可変
r 6=  -209.271        d 6=   1.40    n 4=1.77250  v 4=49.6
r 7=    68.760        d 7=   3.47
r 8=   -40.061        d 8=   1.40    n 5=1.65160  v 5=58.5
r 9=    74.912        d 9=   2.59    n 6=1.84666  v 6=23.9
r10=  -315.566        d10= 可変
r11=    69.739        d11=   4.29    n 7=1.69680  v 7=55.5
r12=   -74.013        d12=   0.21
r13=    68.995        d13=   4.88    n 8=1.48749  v 8=70.2
r14=   -50.456        d14=   1.50    n 9=1.83400  v 9=37.2
r15=  1709.932        d15=   3.00
r16=       ∞ (絞り)  d16= 可変
r17=   -58.671(非球面)d17=   2.80    n10=1.74320  v10=49.3
r18=   -87.858        d18=  21.99
r19=   117.006        d19=   5.86    n11=1.69680  v11=55.5
r20=   -33.901        d20=   1.50    n12=1.84666  v12=23.9
r21=   -74.561        d21= 可変
r22=   -36.957        d22=   1.60    n13=1.71999  v13=50.2
r23=    52.908        d23=   3.48    n14=1.78472  v14=25.7
r24=  -197.500        d24= 可変
焦点距離 71.63 135.00 292.00  
可変間隔
d  5      4.22  38.62  58.95
d 10     33.09  22.51   2.20
d 16      7.58  18.17  38.48
d 21     22.85  15.49   2.95
非球面係数 （第17面）
B= 2.451053e-09    C=-6.958107e-10    D= 3.765664e-12
数値実施例４
f=  72.4〜290.0   FNo=4.1〜5.8    2ω=33.3°〜8.5°
r 1=   128.944        d 1=   2.60    n 1=1.80518  v 1=25.4
r 2=    75.259        d 2=   5.60    n 2=1.48749  v 2=70.2
r 3= -4111.923        d 3=   0.20
r 4=   117.190        d 4=   4.68    n 3=1.51633  v 3=64.1
r 5=  -416.075        d 5= 可変
r 6=  -110.375        d 6=   1.40    n 4=1.77250  v 4=49.6
r 7=    62.796        d 7=   3.27
r 8=   -40.841        d 8=   1.40    n 5=1.60311  v 5=60.6
r 9=    68.766        d 9=   2.67    n 6=1.84666  v 6=23.9
r10=  -243.569        d10= 可変
r11=    65.705        d11=   5.03    n 7=1.60311  v 7=60.6
r12=   -68.912        d12=   0.20
r13=    57.996        d13=   4.46    n 8=1.48749  v 8=70.2
r14=   -55.484        d14=   1.50    n 9=1.83400  v 9=37.2
r15=   476.806        d15=   3.50
r16=       ∞ (絞り)  d16= 可変
r17=   -55.554        d17=   2.80    n10=1.60311  v10=60.6
r18=   -82.995        d18=  28.00 
r19=   130.502        d19=   5.84    n11=1.62041  v11=60.3
r20=   -36.040        d20=   1.50    n12=1.84666  v12=23.9
r21=   -69.204        d21=   0.20
r22=    55.614        d22=   2.21    n13=1.60311  v13=60.6
r23=   106.907        d23= 可変
r24=   -47.418        d24=   1.50    n14=1.77250  v14=49.6
r25=    39.017        d25=   3.35    n15=1.80518  v15=25.4
r26=   286.056        d26= 可変
焦点距離  72.40 135.00 290.00  
可変間隔
d  5      6.15  40.95  61.15
d 10     28.42  19.92   2.20
d 16      3.90  12.39  30.12
d 23     20.38  14.88   4.08
【００３８】
【表１】
2006337648.tif 000003
【００３９】
なお、本発明の数値実施例１を図１〜図３に示し、数値実施例２を図４〜図６に示し、数値実施例３を図７〜図９に示し、数値実施例１を図１０〜図１２に示している。
【００４０】
図２、図５、図８、図１１は広角端での収差図であり、図３、図６、図９、図１２は望遠端での収差図であり、図２、図３、図５、図６、図８、図９、図１１、図１２の（Ａ）は基準状態の収差図、（Ｂ）は０．５°のブレ補正をした時の収差図である。
【図面の簡単な説明】
【００４１】
【図１】本発明の数値実施例１の広角端でのレンズ断面図。
【図２】（Ａ）本発明の数値実施例１の広角端での基準状態の収差図、（Ｂ）本発明の数値実施例１の広角端での０．５°のブレ補正をした時の収差図。
【図３】（Ａ）本発明の数値実施例１の望遠端での基準状態の収差図、（Ｂ）本発明の数値実施例１の望遠端での０．５°のブレ補正をした時の収差図。
【図４】本発明の数値実施例２の広角端でのレンズ断面図。
【図５】（Ａ）本発明の数値実施例２の広角端での基準状態の収差図、（Ｂ）本発明の数値実施例２の広角端での０．５°のブレ補正をした時の収差図。
【図６】（Ａ）本発明の数値実施例２の望遠端での基準状態の収差図、（Ｂ）本発明の数値実施例２の望遠端での０．５°のブレ補正をした時の収差図。
【図７】本発明の数値実施例３の広角端でのレンズ断面図。
【図８】（Ａ）本発明の数値実施例３の広角端での基準状態の収差図、（Ｂ）本発明の数値実施例３の広角端での０．５°のブレ補正をした時の収差図。
【図９】（Ａ）本発明の数値実施例３の望遠端での基準状態の収差図、（Ｂ）本発明の数値実施例３の望遠端での０．５°のブレ補正をした時の収差図。
【図１０】本発明の数値実施例４の広角端でのレンズ断面図。
【図１１】（Ａ）本発明の数値実施例４の広角端での基準状態の収差図、（Ｂ）本発明の数値実施例４の広角端での０．５°のブレ補正をした時の収差図。
【図１２】（Ａ）本発明の数値実施例４の望遠端での基準状態の収差図、（Ｂ）本発明の数値実施例４の望遠端での０．５°のブレ補正をした時の収差図。
【符号の説明】
【００４２】
Ｌ１  第１レンズ群
Ｌ２  第２レンズ群
Ｌ３  第３レンズ群
Ｌ４  第４レンズ群
Ｌ５  第５レンズ群
ＳＰ  絞り
ＩＰ  像面
Ｓ  サジタル
Ｍ  メリディオナル
【図１】
2006337648.tif 000004
【図２】
2006337648.tif 000005
【図３】
2006337648.tif 000006
【図４】
2006337648.tif 000007
【図５】
2006337648.tif 000008
【図６】
2006337648.tif 000009
【図７】
2006337648.tif 000010
【図８】
2006337648.tif 000011
【図９】
2006337648.tif 000012
【図１０】
2006337648.tif 000013
【図１１】
2006337648.tif 000014
【図１２】
2006337648.tif 000015